(57)【要約】【課題】遠隔制御装置の制御コンテンツをダウンロードし、実行する方法を提供すること。【解決手段】ハウジングと、前記ハウジング内に装着された制御ユニットと、前記ハウジング内に装着され、前記制御ユニットに電気的に接続され、外部ホストと通信するように、また前記外部ホストから制御コンテンツをダウンロードするように前記制御ユニットによって制御可能である通信ユニットと、前記ハウジングに実装され、前記制御ユニットに電気的に接続された表示ユニットであって、前記表示ユニットが前記通信ユニットによってダウンロードされた制御コンテンツを表示するようになされた表示領域と、入力された指示を前記通信ユニットによって被制御デバイスに送信できるようにして、指示を実行するように前記被制御デバイスを駆動するための指示を入力する制御領域と、を備える表示ユニットと、からなる。【選択図】図１
2007235909.tif 000002
【特許請求の範囲】
【請求項１】
ハウジングと、
前記ハウジング内に装着された制御ユニットと、
前記ハウジング内に装着され、前記制御ユニットに電気的に接続され、外部ホストと通信するように、また前記外部ホストから制御コンテンツをダウンロードするように前記制御ユニットによって制御可能である通信ユニットと、
前記ハウジングに実装され、前記制御ユニットに電気的に接続された表示ユニットであって、前記表示ユニットが前記通信ユニットによってダウンロードされた制御コンテンツを表示するようになされた表示領域と、入力された指示を前記通信ユニットによって被制御デバイスに送信できるようにして、指示を実行するように前記被制御デバイスを駆動するための指示を入力する制御領域と、を備える表示ユニットと、からなることを特徴とする遠隔制御装置。
【請求項２】
前記制御ユニットが、前記通信ユニットおよび前記表示ユニットに電気的に接続され、外部ホストから制御コンテンツをダウンロードするように前記通信ユニットを駆動するようになされたプロセッサと、前記プロセッサに電気的に接続され、前記通信ユニットによってダウンロードされた制御コンテンツを記憶するようになされたメモリ手段とを備えることを特徴とする請求項１に記載の遠隔制御装置。
【請求項３】
前記表示ユニットがタッチ・パネルであることを特徴とする請求項１に記載の遠隔制御装置。
【請求項４】
前記制御領域が、それぞれ再生、前のパラグラフ、次のパラグラフ、一時停止、音量増、音量減に対応する指示を与えるための複数のボタンを備えることを特徴とする請求項３に記載の遠隔制御装置。
【請求項５】
前記通信ユニットが赤外無線またはブルートゥース・デバイスであることを特徴とする請求項１に記載の遠隔制御装置。
【請求項６】
前記表示領域が制御コンテンツを表示するようになされることを特徴とする請求項１に記載の遠隔制御装置。
【請求項７】
前記ホストがパーソナル・コンピュータ、ホーム・サーバ、およびメディア・センターを含む装置のうちの１つであることを特徴とする請求項１に記載の遠隔制御装置。
【請求項８】
前記制御コンテンツが、制御フォームおよび関連する遠隔制御プログラムを含むことを特徴とする請求項１に記載の遠隔制御装置。
【請求項９】
前記制御フォームおよび前記関連する遠隔制御プログラムが被制御デバイスの製造業者によって提供されることを特徴とする請求項８に記載の遠隔制御装置。
【請求項１０】
前記制御フォームおよび前記関連する遠隔制御プログラムが被制御デバイスの製造業者によって提供されるディスクからロードされる、またはインターネットを介して被制御デバイスの製造業者のウェブ・サイトからダウンロードされることを特徴とする請求項９に記載の遠隔制御装置。
【請求項１１】
前記被制御デバイスが、前記ホストに電気的に接続され、前記ホストによって制御可能であるテレビ、ＤＶＤプレーヤー、ＣＤプレーヤー、カラオケ・システム、およびマルチメディア・プレーヤーを含むデバイスのうちの少なくとも１つを備えることを特徴とする請求項１に記載の遠隔制御装置。
【請求項１２】
（ａ）制御ユニット、通信ユニット、および表示領域および制御領域を有する表示ユニットを備える遠隔制御装置を提供するステップと、
（ｂ）少なくとも１つの制御コンテンツを有するホストを提供するステップと、
（ｃ）前記ホストから少なくとも１つの制御コンテンツのうちの１つをダウンロードする前記通信ユニットを使用するステップと、
（ｄ）前記制御ユニットが、ダウンロードされた制御コンテンツを前記表示ユニットの表示領域に表示できるようにするステップと、
（ｅ）ダウンロードされた制御コンテンツから指示を選択するために前記制御領域をクリックするステップと、
（ｆ）前記制御ユニットが、前記通信ユニットを介して被制御デバイスに選択された指示を送信できるようにして、指示を実行するように被制御デバイスを駆動するステップとを含むことを特徴とする遠隔制御装置の制御コンテンツをダウンロードし実行する方法。
【請求項１３】
前記表示ユニットがタッチ・パネルであることを特徴とする請求項１２に記載の遠隔制御装置の制御コンテンツをダウンロードし実行する方法。
【請求項１４】
前記制御領域が、それぞれ、再生、前のパラグラフ、次のパラグラフ、一時停止、音量増、および音量減に対応する指示を与えるための複数のボタンを備えることを特徴とする請求項１３に記載の遠隔制御装置の制御コンテンツをダウンロードし実行する方法。
【請求項１５】
前記通信ユニットが赤外無線またはブルートゥース・デバイスであることを特徴とする請求項１２に記載の遠隔制御装置の制御コンテンツをダウンロードし実行する方法。
【請求項１６】
前記表示領域が、制御コンテンツを表示するようになされることを特徴とする請求項１２に記載の遠隔制御装置の制御コンテンツをダウンロードし実行する方法。
【請求項１７】
前記ホストが、パーソナル・コンピュータ、ホーム・サーバ、およびメディア・プレーヤーを含む装置のうちの１つであることを特徴とする請求項１２に記載の遠隔制御装置の制御コンテンツをダウンロードし実行する方法。
【請求項１８】
前記制御コンテンツが、制御フォームおよび関連する遠隔制御プログラムを含むことを特徴とする請求項１２に記載の遠隔制御装置の制御コンテンツをダウンロードし実行する方法。
【請求項１９】
前記制御フォームおよび前記関連する遠隔制御プログラムが、制御デバイスの製造業者によって提供され、被制御デバイスの製造業者によって提供されるディスクからロードされる、またはインターネットを介して被制御デバイスの製造業者のウェブ・サイトからダウンロードされることを特徴とする請求項１８に記載の遠隔制御装置の制御コンテンツをダウンロードし実行する方法。
【請求項２０】
前記被制御デバイスが、前記ホストに電気的に接続され、前記ホストによって制御可能である、テレビ、ＤＶＤプレーヤー、ＣＤプレーヤー、カラオケ・システム、およびマルチメディア・プレーヤーを含むデバイスのうちの少なくとも１つを備えることを特徴とする請求項１２に記載の遠隔制御装置の制御コンテンツをダウンロードし実行する方法。
【発明の詳細な説明】
【技術分野】
【０００１】
本発明は、遠隔制御装置に関し、より詳細には、被制御デバイスの動作を制御するための赤外無線（ｉｎｆｒａｒｅｄ  ｒａｄｉｏ）またはブルートゥース・デバイスを介して装置またはホストから制御コンテンツをダウンロードする遠隔制御装置に関する。
【背景技術】
【０００２】
テレビ、ステレオシステム、ＤＶＤプレーヤー、ＣＤプレーヤー、ＭＰ３プレーヤー、などの標準の電気機器は、一般に、遠隔制御装置によって制御されて動作する。遠隔制御装置を紛失し、または損傷した場合、使用者は、同じ型の遠隔制御装置を市販で購入することができず、電気機器は使用できなくなるか電気機器の制御が不便になる。
【０００３】
前述の問題を解消するため、様々なユニバーサル型（ｕｎｉｖｅｒｓａｌ）の遠隔制御装置が作られ、市場に現れた。これらのユニバーサルの遠隔制御装置は、異なる市販の電気機器に対応する１組のキー・コードを組み込んでいる。使用の際には、使用者は、記憶キー・コード（ｓｔｏｒａｇｅ  ｋｅｙ  ｃｏｄｅ）を比較のために適切な順で被制御デバイスのコードに送信するために、特定のキー（たとえば電源キー）を押す必要がある。被制御デバイスが遠隔制御装置によって送られる１つの特定のキー・コードに応答すると、この特定のキー・コードは、さらなる動作のために遠隔制御装置に記憶される。
【０００４】
（Ｉｎｖｅｎｔｅｃ  Ａｐｐｌｉａｎｃｅｓ  Ｃｏｒｐｏｒａｔｉｏｎ社によって２００４年８月３日に提出され、２００５年５月１１日に発行された）「Ｕｎｖｅｒｓａｌ  Ｒｅｍｏｔｅ  Ｃｏｎｔｒｏｌｌｅｒ」という名称の台湾特許第Ｍ２６４７５３号は、１つの例を示している。この設計によれば、ユニバーサル型の遠隔制御装置は個人的な遠隔制御構成を提供し、異なる型の電気機器に対応する、異なる遠隔制御プログラムを設定するための編集モジュールと、編集、遠隔制御入力、および表示機能を実行するためのタッチ・コントロール・インターフェース（ｔｏｕｃｈ  ｃｏｎｔｒｏｌ  ｉｎｔｅｒｆａｃｅ）とを使用する。この設計は、個人的な遠隔制御構成を編集するために編集モジュールを使用する必要がある。そのような編集モジュールを使用することは、遠隔制御装置の製造コストを大幅に上昇させる。
【特許文献１】台湾特許第Ｍ２６４７５３号
【発明の開示】
【発明が解決しようとする課題】
【０００５】
本発明は上述の状況を鑑みて達成されたものである。本発明の１つの目的は、被制御デバイスの動作を制御するために赤外無線またはブルートゥース・デバイスを介して装置またはホストから制御コンテンツをダウンロードする、遠隔制御装置の制御コンテンツをダウンロードし、実行する方法を提供することである。本発明の別の目的は、編集モジュールなしに制御デバイスの動作を制御するためにホストから制御コンテンツをダウンロードし、それによって遠隔制御装置の製造コストを削減することができる、遠隔制御装置の制御コンテンツをダウンロードし、実行する方法を提供することである。
【課題を解決するための手段】
【０００６】
本発明のこれらの、およびその他の目的を達成するために、遠隔制御装置は、ハウジングと、ハウジングの内側に装着された制御ユニットと、ハウジングの内側に装着され、制御ユニットに電気的に接続され、外部ホストと通信し、外部ホストから制御コンテンツをダウンロードするように制御ユニットによって制御可能である通信ユニットと、ハウジングに実装され、制御ユニットに電気的に接続され、通信ユニットによってダウンロードされた制御コンテンツを表示するようになされた表示領域を備える表示ユニットと、入力された指示を通信ユニットによって被制御デバイスに送信できるようにする指示を入力して、指示を実行するように被制御デバイスを駆動する制御領域とを備える、ことからなる。
又、前記制御ユニットが、前記通信ユニットおよび前記表示ユニットに電気的に接続され、外部ホストから制御コンテンツをダウンロードするように前記通信ユニットを駆動するようになされたプロセッサと、前記プロセッサに電気的に接続され、前記通信ユニットによってダウンロードされた制御コンテンツを記憶するようになされたメモリ手段とを備えることが好適である。
又、前記表示ユニットがタッチ・パネルであることが好適である。
又、前記制御領域が、それぞれ再生、前のパラグラフ、次のパラグラフ、一時停止、音量増、音量減に対応する指示を与えるための複数のボタンを備えることが好適である。
又、前記通信ユニットが赤外無線またはブルートゥース・デバイスであることが好適である。
又、前記表示領域が制御コンテンツを表示するようになされることが好適である。
又、前記ホストがパーソナル・コンピュータ、ホーム・サーバ、およびメディア・センターを含む装置のうちの１つであることが好適である。
又、前記制御コンテンツが、制御フォームおよび関連する遠隔制御プログラムを含むことが好適である。
又、前記制御フォームおよび前記関連する遠隔制御プログラムが被制御デバイスの製造業者によって提供されることが好適である。
又、前記制御フォームおよび前記関連する遠隔制御プログラムが被制御デバイスの製造業者によって提供されるディスクからロードされる、またはインターネットを介して被制御デバイスの製造業者のウェブ・サイトからダウンロードされることが好適である。
又、前記被制御デバイスが、前記ホストに電気的に接続され、前記ホストによって制御可能であるテレビ、ＤＶＤプレーヤー、ＣＤプレーヤー、カラオケ・システム、およびマルチメディア・プレーヤーを含むデバイスのうちの少なくとも１つを備えることが好適である。
【０００７】
さらに、遠隔制御装置の制御コンテンツをダウンロードし、実行する方法は、（ａ）：制御ユニット、通信ユニット、および表示領域および制御領域を有する表示ユニットを備える遠隔制御装置を提供するステップと、（ｂ）：少なくとも１つの制御コンテンツを有するホストを提供するステップと、（ｃ）：ホストから少なくとも１つの制御コンテンツのうちの１つをダウンロードするための通信ユニットを使用するステップと、（ｄ）：制御ユニットが表示ユニットの表示領域にダウンロードされた制御コンテンツを表示できるようにするステップと、（ｅ）：ダウンロードされた制御コンテンツから指示を選択するために制御領域をクリックするステップと、（ｆ）：制御ユニットが通信ユニットを介して被制御デバイスに選択された指示を送信できるようにし、それによって、指示を実行するように被制御デバイスを駆動するステップとを含む、ことからなる。
又、前記表示ユニットがタッチ・パネルであることが好適である。
又、前記制御領域が、それぞれ、再生、前のパラグラフ、次のパラグラフ、一時停止、音量増、および音量減に対応する指示を与えるための複数のボタンを備えることが好適である。
又、前記通信ユニットが赤外無線またはブルートゥース・デバイスであることが好適である。
又、前記表示領域が、制御コンテンツを表示するようになされることが好適である。
又、前記ホストが、パーソナル・コンピュータ、ホーム・サーバ、およびメディア・プレーヤーを含む装置のうちの１つであることが好適である。
又、前記制御コンテンツが、制御フォームおよび関連する遠隔制御プログラムを含むことが好適である。
又、前記制御フォームおよび前記関連する遠隔制御プログラムが、制御デバイスの製造業者によって提供され、被制御デバイスの製造業者によって提供されるディスクからロードされる、またはインターネットを介して被制御デバイスの製造業者のウェブ・サイトからダウンロードされることが好適である。
さらに、前記被制御デバイスが、前記ホストに電気的に接続され、前記ホストによって制御可能である、テレビ、ＤＶＤプレーヤー、ＣＤプレーヤー、カラオケ・システム、およびマルチメディア・プレーヤーを含むデバイスのうちの少なくとも１つを備えることが好適である。
【発明を実施するための最良の形態】
【０００８】
本発明は以下の説明および添付の図面を参照することにより、より完全に理解することができる。
【０００９】
図１を参照すると、ハウジング１０、制御ユニット２０、通信ユニット３０、および表示ユニット４０を備える遠隔制御装置１が示されている。
【００１０】
ハウジング１０は制御ユニット２０、通信ユニット３０、および制御ユニット２０、通信ユニット３０、および表示ユニット４０を担持するために内側に装着され、それらに接続回路手段を提供するプリント回路基板（図示せず）を有する表示ユニット４０を収容する。
【００１１】
制御手段２０は、ハウジング１０の内側に装着され、遠隔制御装置１の動作を制御するようになされている。
【００１２】
たとえば通信ユニット３０は、ホスト５０と通信するための赤外無線またはブルートゥース・デバイス（図３を参照のこと）であることができる。ホスト５０は、ＰＣ（パーソナル・コンピュータ）、ホーム・サーバ、またはメディア・センターであることができる。ホスト５０は、被制御デバイス６０の制御フォーム（ｃｏｎｔｒｏｌ  ｆｏｒｍ）である少なくとも１つの制御コンテンツおよびその遠隔制御プログラムを有する。被制御デバイス６０は、ホスト５０に接続され、ホスト５０によって制御可能な、テレビ、ＤＶＤプレーヤー、ＣＤプレーヤー、カラオケ（ＫａｒａＯＫ）・システム、ＭＰ３マルチメディア・プレーヤーであることができる。制御フォームおよびその遠隔制御プログラムは、製造業者によって提供される添付のＣＤまたはインターネットを介して製造業者のウェブ・サイトからダウンロードすることができる。
【００１３】
表示ユニット４０は、ダウンロードされた制御フォームを表示する制御ユニット２０に電気的に接続されたタッチ・パネルまたはＬＣＤ表示パネルであることができる。表示ユニット４０は、表示領域４１および制御領域４２を有する。表示領域４１は、ステータスまたは実行した結果を表示するようになされている。制御領域４２は、複数のボタン４２１を備え、それによってユーザは制御フォームを操作する。
【００１４】
図２は、遠隔制御装置１のシステム・ブロック図である。図示のように、制御ユニット２０は、プロセッサ２１およびメモリ２２を備える。プロセッサ２１は通信ユニット３０、表示ユニット４０、およびメモリ２２に電気的に接続され、制御コンテンツをホスト５０からダウンロードするための通信ユニット３０を制御し、ダウンロードされた制御コンテンツを記憶し、ダウンロードされた制御コンテンツを表示ユニット４０に表示するためのマイクロコントローラであることができる。
【００１５】
図３は、遠隔制御装置、ホスト、被制御デバイスの間の通信を示す概略図である。図示のように、遠隔制御装置１は、制御コンテンツをダウンロードし記憶するために、また制御コンテンツを表示ユニット４０に表示するために、通信ユニット３０を介してホスト５０と通信することができる。したがって、使用者は、表示ユニット４０の制御領域４２のタッチ・ボタン４２１によって指示を選択して、電源を入れる／切る、あるいは動作を開始しまたは動作を停止することができる。通信ユニット３０は、選択された指示を処理するためにホスト５０に送信し、次いでホスト５０は、処理された指示を被制御デバイス６０に送信して、指示を実行するように被制御デバイス６０を作動させる。したがって、遠隔制御装置１は、編集モジュールの編集操作を経ずに、被制御デバイス６０の動作を制御することができる。
【００１６】
図４は、本発明による遠隔制御装置の表示ユニットの表示領域に表示されたテレビの制御コンテンツの制御フォームを示す。図示されるように、遠隔制御装置１を使用してテレビの動作を制御することを望む場合、通信ユニット３０を動作させて、ホスト５０と通信し、テレビの制御コンテンツをダウンロードし、プロセッサ２１が、メモリ２２内に制御コンテンツの制御フォームを記憶し、同時に表示ユニット４０の表示領域４１に制御コンテンツの制御フォームを表示できるようにする。この時、使用者は、表示ユニット４０の制御領域４２のボタン４２１に触れて、所望のアイテムの制御フォームから、たとえば、チャンネル選択、音量の増もしくは減、または消音を選択し、次いで、ホスト５０が信号を処理し、処理された信号を被制御デバイス（テレビ）６０に送信できるようにするために、ＥＮＴＥＲボタンに触れて、通信ユニット３０を介してホスト５０に選択された指示を送信し、それによって、チャンネル選択、音量の増もしくは減、または消音の指示を実行するように被制御デバイス（テレビ）６０を駆動することができる。
【００１７】
図５は、本発明による表示ユニットの表示領域に表示されたＣＤプレーヤーの制御コンテンツの制御フォームを示す。図示されるように、遠隔制御装置１を使用して被制御デバイス（ＣＤプレーヤー）６０の動作を制御することを望む場合、通信ユニット３０を動作させて、ホスト５０と通信し、被制御デバイス（ＣＤプレーヤー）６０の制御コンテンツをダウンロードし、プロセッサ２１が、メモリ２２内にダウンロードされた制御コンテンツの制御フォームを記憶し、同時に表示ユニット４０の表示領域４１にダウンロードされた制御コンテンツの制御フォームを表示できるようにする。この時、使用者は、表示ユニット４０の制御領域４２のボタン４２１に触れて、所望のアイテムの制御フォームから、たとえば再生、前の曲、次の曲、一時停止、音量増、音量減などを選択し、次いで、ホスト５０が信号を処理し、処理された信号を被制御デバイス（ＣＤプレーヤー）６０に送信できるようにするために、ＥＮＴＥＲボタンに触れて、通信ユニット３０を介してホスト５０に選択された指示を送信し、それによって、再生、前の曲、次の曲、一時停止、音量増、音量減などの指示を実行するように被制御デバイス（ＣＤプレーヤー）６０を作動させることができる。
【００１８】
図６は、本発明による遠隔制御装置の制御ユニットの表示領域に表示されたＤＶＤプレーヤーの制御コンテンツの制御フォームを示す。図示されるように、遠隔制御装置１を使用して被制御デバイス（ＤＶＤプレーヤー）６０の動作を制御することを望む場合、通信ユニット３０を動作させて、ホスト５０と通信し、被制御デバイス（ＤＶＤプレーヤー）６０の制御コンテンツをダウンロードし、プロセッサ２１が、メモリ２２内にダウンロードされた制御コンテンツの制御フォームを記憶し、同時に表示ユニット４０の表示領域４１にダウンロードされた制御コンテンツの制御フォームを表示できるようにする。この時、使用者は、表示ユニット４０の制御領域４２のボタン４２１に触れて、所望のアイテムの制御フォーム、たとえば、再生、前のセクション、次のセクション、一時停止、音量増、音量減などから選択し、次いで、ホスト５０が信号を処理し、処理された信号を被制御デバイス（ＤＶＤプレーヤー）６０に送信できるようにするために、ＥＮＴＥＲボタンに触れて、通信ユニット３０を介してホスト５０に選択された指示を送信し、それによって、再生、前のパラグラフ、次のパラグラフ、一時停止、音量増、音量減などの指示を実行するように被制御デバイス（ＤＶＤプレーヤー）６０を作動させることができる。
【００１９】
図７は、制御コンテンツをダウンロードし実行する、本発明の方法の手順を示す流れ図である。図示されるように、制御コンテンツをダウンロードし実行する方法は、以下のステップを含む。
ステップ１：制御ユニット２０、通信ユニット３０、ならびに表示領域４１および制御領域４２を有する表示ユニット４０を備える、遠隔制御装置１を提供する。
ステップ２：少なくとも１つの制御コンテンツを有するホスト５０を提供する。
ステップ３：ホスト５０から少なくとも１つの制御コンテンツのうちの１つをダウンロードするために通信ユニット３０を使用する。
ステップ４：制御ユニット２０が表示ユニット４０の表示領域４１にダウンロードされた制御コンテンツを表示する。
ステップ５：ダウンロードされた制御コンテンツから指示を選択するために制御領域４２をクリックする。
ステップ６：制御ユニット２０が、被制御デバイスが指示を実行できるようにするために、通信ユニット３０を介して被制御デバイスに選択された指示を送信する。
【００２０】
ステップ１では、遠隔制御装置１は、制御ユニット２０、通信ユニット３０、および表示ユニット４０を備え、表示ユニット４０は表示領域４１および制御領域４２を有する。制御ユニット２０、通信ユニット３０、および表示ユニット４０の特徴および構造は、前述のものと同じである。
【００２１】
ステップ２では、ホスト５０は少なくとも１つの制御コンテンツを有し、制御コンテンツは、被制御デバイス６０の制御フォームおよびその遠隔制御プログラムである。被制御デバイス６０は、ホスト５０に接続され、ホスト５０によって制御可能な、テレビ、ＤＶＤプレーヤー、ＣＤプレーヤー、カラオケ・システム、またはマルチメティア・プレーヤーであることができる。制御フォームおよびその遠隔制御プログラムは、制御デバイス６０の製造業者によって提供される添付のＣＤから取得し、またはインターネットで制御デバイス６０の製造業者のウェブ・サイトからダウンロードすることができる。
【００２２】
ステップ３およびステップ４では、使用者は、制御ユニット２０が表示領域４１にダウンロードされた制御フォームを表示できるようにするために、通信ユニット３０を使用してホスト５０と通信し、（制御フォームおよびその遠隔制御プログラムが被制御デバイス６０のタイプに従う）制御コンテンツをダウンロードする（図４〜７に関連する説明を参照されたい）。
【００２３】
ステップ５およびステップ６では、使用者は、表示ユニット４０の制御領域４２のボタン４２１に触れて、制御コンテンツから所望のアイテムを選択し、それによって制御ユニット２０がそれぞれの指示を通信ユニット３０を介して被制御デバイス６０（たとえばＣＤプレーヤー）に送信し、指示を実行するように被制御デバイス６０を作動させる。
【００２４】
上記のように、本発明の遠隔制御装置は、装置またはホストから制御コンテンツを取得し、制御コンテンツを送信するために赤外無線、ブルートゥース・デバイス、または同様のものなどの通信ユニットを使用する。本発明の設計は、被制御デバイスの動作を制御するためのホストから制御コンテンツをダウンロードすることができる。本発明は、編集モジュールを使用しなくてもよいので、遠隔制御装置の製造コストを大幅に削減し、従来の遠隔制御装置の欠点を解消する。
【００２５】
制御装置のひな型ならびにそのコンテンツをダウンロードし実行する方法は、図１〜７の特徴を備えて製造されてきた。遠隔制御装置は、先に開示した全ての特徴を提供するために、円滑に機能する。
【００２６】
本発明の特定の実施形態を例示の目的のために詳細に説明してきたが、本発明の精神および範囲から逸脱せずに様々な変更および改善を行なうことができる。したがって、本発明は、添付の特許請求の範囲による以外には限定されるものではない。
【図面の簡単な説明】
【００２７】
【図１】本発明による遠隔制御装置の立面図である。
【図２】本発明による遠隔制御装置のシステム・ブロック図である。
【図３】本発明による遠隔制御装置、ホスト、被制御デバイスの間の通信を示す概略図である。
【図４】本発明による遠隔制御装置の表示ユニットの表示領域に表示されるテレビの制御コンテンツの制御フォームを示す概略図である。
【図５】本発明による遠隔制御装置の表示ユニットの表示領域に表示されるＣＤプレーヤーの制御コンテンツの制御フォームを示す概略図である。
【図６】本発明による遠隔制御装置の表示ユニットの表示領域に表示されるＤＶＤプレーヤーの制御コンテンツの制御フォームを示す概略図である。
【図７】本発明による制御コンテンツのダウンロードおよび実行方法の手順を示す流れ図である。
【符号の説明】
【００２８】
１  遠隔制御装置
１０  ハウジング
２０  制御ユニット
２１  プロセッサ
２２  メモリ
３０  通信ユニット
４０  表示ユニット
４１  表示領域
４２  制御領域
５０  ホスト
６０  被制御デバイス
４２１  ボタン
【図１】
2007235909.tif 000003
【図２】
2007235909.tif 000004
【図３】
2007235909.tif 000005
【図４】
2007235909.tif 000006
【図５】
2007235909.tif 000007
【図６】
2007235909.tif 000008
【図７】
2007235909.tif 000009